(57)【要約】      （修正有）【課題】枠本体とカップとの間の結合効果を向上させるべくベースと前記枠本体の接続脚との間に形成された段部を有する、発光装置のパッケージ枠を提供する。【解決手段】発光装置のためのパッケージ枠は、枠本体１０と、カップ２０とを有する。前記枠本体は、ベースの前面と前記枠本体の接続脚１４の前面との間に段部を形成し、前記ベースの前面が前記接続脚の前面と異なる高さとなるように、前記枠本体の前面に形成された突出部を有する。その結果、前記カップと前記枠本体との間の結合効果は、前記カップと前記枠本体との間に形成される間隙を防止するために向上させることができ、発光装置の作動の信頼性を向上させる。【選択図】図１
0003165769.tif 000002
【実用新案登録請求の範囲】
【請求項１】
発光装置のためのパッケージ枠であって、
枠本体と、該枠本体に取り付けられたカップとを含み、
前記枠本体は、前面を有するベースと、それぞれが前面を有する複数の接続脚と、前記ベースの前面と前記接続脚の前面との間に段部を形成し、前記ベースの前面と前記接続脚の前面とが異なる高さとなるように、前記ベースの前面に形成され、該ベースの前面から突出する突出部とを含み、
前記カップは、該カップから前記接続脚を露出させ、前記ベースの前面が露出するように設けられた空洞と、機能部とを有する、パッケージ枠。
【請求項２】
前記カップは、前記枠本体の突出部の周囲に取り付けられ、前記枠本体に接続され、該枠本体に隣接する接続面と、該接続面に設けられ、前記枠本体の前記突出部に対応する係合凹所とを有する、請求項１に記載のパッケージ枠。
【請求項３】
前記係合凹所は、前記空洞の周囲の位置で前記接続面に設けられ、前記突出部の外周を前記係合凹所の内側で保持する、請求項２に記載のパッケージ枠。
【請求項４】
前記接続脚は前記ベースから該ベースに対して水平に伸びる、請求項３に記載のパッケージ枠。
【請求項５】
前記接続脚は前記ベースに対して湾曲している、請求項３に記載のパッケージ枠。
【請求項６】
各接続脚の厚さは、前記ベースの厚さと異なる、請求項４又は５に記載のパッケージ枠。
【請求項７】
各接続脚は、該接続脚の前記前面と向かい合った背面を有し、
前記ベースは、該ベースの前記前面と向かい合った背面を有し、
前記ベースの前記背面は、前記接続脚の前記前面と前記背面との間の位置にある、請求項６に記載のパッケージ枠。
【請求項８】
前記枠本体は、前記カップに対応する位置で該枠本体に設けられた複数の結合穴を有し、
前記カップは、前記カップに形成され、該カップから突出する複数の結合柱を有し、
前記結合柱は、前記結合穴にそれぞれ取り付けられている、請求項７に記載のパッケージ枠。
【請求項９】
前記枠本体は、前記ベース及び前記接続脚の前記背面に対応する背面と、前記枠本体の前記背面に形成された溝部とを有する、請求項８に記載のパッケージ枠。
【請求項１０】
各接続脚の厚さは前記ベースの厚さと同じである、請求項４又は５に記載のパッケージ枠。
【請求項１１】
各接続脚は、該接続脚の前記前面と向かい合う背面を有し、
前記ベースは、該ベースの前記前面と向かい合う背面を有し、
前記ベースの前記背面は、前記接続脚の前記前面と前記背面との間の位置にある、請求項１０に記載のパッケージ枠。
【請求項１２】
前記枠本体は、前記カップに対応する位置で該枠本体に設けられた複数の結合穴を有し、
前記カップは、前記カップに形成され、該カップから突出する複数の結合柱を有し、
前記結合柱は、前記結合穴にそれぞれ取り付けられている、請求項１１に記載のパッケージ枠。
【請求項１３】
前記枠本体は、前記ベース及び前記接続脚の前記背面に対応する背面と、前記枠本体の前記背面に形成された溝部とを有する、請求項１２に記載のパッケージ枠。
【請求項１４】
前記接続脚は前記ベースから該ベースに対して水平に伸びる、請求項１又は２に記載のパッケージ枠。
【請求項１５】
前記接続脚は前記ベースに対して湾曲している、請求項１又は２に記載のパッケージ枠。
【請求項１６】
各接続脚の厚さは、前記ベースの厚さと異なる、請求項１又は２に記載のパッケージ枠。
【請求項１７】
各接続脚の厚さは前記ベースの厚さと同じである、請求項１又は２に記載のパッケージ枠。
【請求項１８】
各接続脚は、該接続脚の前記前面と向かい合った背面を有し、
前記ベースは、該ベースの前記前面と向かい合った背面を有し、
前記ベースの前記背面は、前記接続脚の前記前面と前記背面との間の位置にある、請求項１又は２に記載のパッケージ枠。
【請求項１９】
前記枠本体は、前記カップに対応する位置で該枠本体に設けられた複数の結合穴を有し、
前記カップは、前記カップに形成され、該カップから突出する複数の結合柱を有し、
前記結合柱は、前記結合穴にそれぞれ取り付けられている、請求項１ないし５のいずれか１項に記載のパッケージ枠。
【請求項２０】
前記枠本体は、背面と、前記枠本体の前記背面に形成された溝部とを有する、請求項１ないし５のいずれか１項に記載のパッケージ枠。
【考案の詳細な説明】
【技術分野】
【０００１】
本考案は、発光装置のパッケージ枠に関し、特に段部を備えた高い信頼性を有するパッケージ枠に関する。
【背景技術】
【０００２】
発明の名称を「低熱抵抗ＬＥＤパッケージ」とする台湾特許Ｉ２７７２２３号は、従来のＬＥＤパッケージの構造を開示している。図６を参照するに、前記ＬＥＤパッケージは、複数の接続脚を有する枠本体４０と、絶縁体５０とを含む。枠本体４０は、正極リードフレーム４２と、負極リードフレーム４４と、チップキャリア４６とを含む。絶縁体５０は、素子６０をチップ取付領域５２の内側に取り付けるように該チップ取付領域を形成するために枠本体４０の周囲に形成されている。
【０００３】
しかし、従来の枠本体４０と絶縁体５０との間の結合部は、枠本体４０の正極リードフレーム４２、負極リードフレーム４４及びチップキャリア４６の上面が同じ水平面にあるように平面である。その結果、枠本体４０と絶縁体５０との間の結合は、形成過程の間における絶縁体５０の収縮又は膨張により不十分なものとなる。したがって、間隙が、枠本体４０と絶縁体５０との間に容易に形成される。水分が、前記間隙を経てチップ取付領域５２に容易に進入し、ＬＥＤの信頼性を減少させる。
【０００４】
この欠点を克服するため、本考案は、前記問題点を改善するパッケージ枠を提供する。
【考案の概要】
【考案が解決しようとする課題】
【０００５】
本考案の目的は、発光装置の作動の信頼性を向上させるために、枠本体とカップとの間の結合効果を向上させるようにベースと前記枠本体の接続脚との間に形成された段部を有する、発光装置のパッケージ枠を提供することにある。
【課題を解決するための手段】
【０００６】
パッケージ枠は、枠本体と、カップとを含む。前記枠本体は、ベースと、複数の接続脚と、突出部とを含む。前記ベース及び各接続脚は、それぞれ前面を有する。前記突出部は、前記ベースの前面と前記接続脚の前面との間に段部を形成し、前記ベースの前面が前記接続脚の前面と異なる高さとなるように、前記ベースの前面に形成され、該ベースの前面から突出する。前記カップは前記枠本体に取り付けられ、前記カップから前記接続脚を露出させている。前記カップは、前記ベースの前記前面が露出するように設けられた空洞を有し、機能部が設けられている。
【０００７】
突出部の配置によれば、段部が、前記ベースの前面と前記接続脚の前面とが異なる水平面となるように、前記ベースと前記接続脚との間に形成されている。間隙が、前記カップの成形過程の間における該カップの収縮又は膨張により、前記カップと前記枠本体との間に形成されないようにすることができる。したがって、水分が前記機能部に侵入することを防ぎ、発光装置の作動の信頼性を向上させることができる。
【０００８】
本考案の他の目的、利点及び新規の特徴は、添付の図面に関する以下の詳細な説明からより明らかになる。
【図面の簡単な説明】
【０００９】
【図１】本考案に係る発光装置のためのパッケージ枠の第１の実施例の斜視図。
【図２】図１の線２−２に沿ったパッケージ枠の拡大断面図。
【図３】図２のパッケージ枠の拡大断面図。
【図４】本考案に係る発光装置のためのパッケージ枠の第２の実施例の斜視図。
【図５】本考案に係る発光装置のためのパッケージ枠の第３の実施例の断面図。
【図６】従来技術のLEDパッケージの部分側面図。
【考案を実施するための形態】
【００１０】
図１ないし図３を参照するに、本考案に係る発光装置のパッケージ枠は、枠本体１０と、カップ２０とを含む。枠本体１０は、ベース１２と、該ベースに電気的に接続され、前記ベースから伸びる複数の接続脚１４とを含む。各接続脚１４は、前面と、背面とを有する。接続脚１４は、薄いディスプレー又はテレビのための薄型発光装置に適用されるパッケージ枠を作るために、図示したようにベース１２から該ベースに対して水平に伸びている。また、接続脚１４は、異なるデザインの発光装置に適用されるパッケージ枠１０を作るために、ベース１２に対して湾曲したものとすることができる。ベース１２は、前面と、背面と、前記ベースの前面に形成され、該ベースの前面から突出する突出部１２２とを有する。突出部１２２の配置によれば、段部がベース１２の前面と接続脚１４の前面との間に形成され、前記ベースの前面は前記接続脚の前面と異なる高さである。さらに、ベース１２は、接続脚１４の厚さと同じ又は異なる厚さを有する。ベース１２の前記背面は、接続脚１４の前面と背面との間の位置とすることができる。枠本体１０は、該枠本体の背面に形成された溝部１６を有する。枠本体１０の前記背面は、ベース１２及び接続脚１４の前記背面に対応する。溝部１６の配置によれば、枠本体１０の半田結合性及び放熱面積を増加させることができ、急速に広がる溶融半田のために前記枠本体の毛管効果を向上させることもできる。
【００１１】
カップ２０は、枠本体１０の前記前面の周囲に取り付けられ、好ましくは、ベース１２の突出部１２２の周囲に取り付けられている。空洞が、枠本体１０のベース１２の前記前面を露出させ、カップ２０の機能部２２を設け、カップ２０が反射内面を有するように、カップ２０に設けられている。ＬＥＤ素子のような発光素子は、機能部２２に取り付けることができ、該機能部は発光装置のためのパッケージとして形成するために接着剤又はカプセルの材料で満たすことができる。さらに、接続脚１４は、カップ２０から露出又は突出することができる。パッケージ枠がＳＭＤすなわち表面実装型デバイスに適用されるとき、各接続脚１４は、カップ２０の外面と同一平面になる端面を有する。カップ２０は、枠本体１０の前記前面に接続され、該前面に隣接する接続面を有し、係合凹所２４が、前記接続面に設けられ、枠本体１０の突出部１２２に対応する。係合凹所２４は、前記空洞を囲む位置でカップ２０の接続面に形成され、突出部１２２の外周を前記係合凹所の内側で保持する。
【００１２】
結果的に、突出部１２２の配置によれば、段部が、ベース１２の前面と接続脚１４の前面とが異なる水平面になるように前記ベースと前記接続脚との間に形成される。前記段部は、カップ２０の成形過程の間における該カップの収縮又は膨張により前記カップと枠本体１０との間に形成された間隙を遮断することができる。その結果、カップ２０と枠本体１０との間の前記結合効果は、水分が機能部２２に入らないように向上させることができる。したがって、本考案に係るパッケージ枠を備えた発光装置の作動の信頼性を効果的に向上させることができる。
【００１３】
図４を参照するに、枠本体１０Ａは、カップ２０Ａに対応する位置で該枠本体に設けられた複数の結合穴１９を有する。カップ２０Ａは、該カップに形成され、前記カップから突出する複数の結合柱２６を有し、該結合柱は枠本体１０Ａの結合穴１９にそれぞれ取り付けられている。その結果、枠本体１０Ａとカップ２０Ａとの間の結合を向上させることができる。
【００１４】
図５を参照するに、枠本体１０Ｂは、前記背面に形成され、底面を有する凹所１８を有する。溝部１６Ｂは、凹所１８の前記底面に形成されている。
【００１５】
本考案の様々な特徴や利点を詳細な構造や機能とともに上記にて説明してきたが、開示は一例にすぎない。変更すること、特に形状や大きさ、部品の配置を変更することは、添付の請求項が表現する言葉の広い解釈により定められる範囲を超えない限り可能である。
【符号の説明】
【００１６】
１０、１０Ａ、１０Ｂ  枠本体
１２  ベース
１４  接続脚
１６、１６Ｂ  溝部
１８  凹所
１９  結合穴
２０、２０Ａ、２０Ｂ  カップ
２２  機能部
２４  係合凹所
２６  結合柱
１２２  突出部
【図１】
0003165769.tif 000003
【図２】
0003165769.tif 000004
【図３】
0003165769.tif 000005
【図４】
0003165769.tif 000006
【図５】
0003165769.tif 000007
【図６】
0003165769.tif 000008